(57)【要約】【課題】簡単な構成で良好な外観を確保しつつ、楽器筐体を安全に把持できるようにする。【解決手段】上ケース２０の外郭形状は、前側に凸の前側曲線部Ｒ１と、後側に凸の後側曲線部Ｒ２と、前側曲線部Ｒ１と後側曲線部Ｒ２との上端同士を結ぶ上側線Ｒ３と、前側曲線部Ｒ１と後側曲線部Ｒ２との下端同士を結ぶ下側線Ｒ４とからなる閉曲線をなす。取付部１４、１５、１６と取付部２４、２５、２６との当接によって、下ケース１０に対する上ケース２０の上下方向の位置が規制された状態で、上ケース２０の側壁部２３の外側面２３ｄに連接する下面２３ａと嵌合リブ１３の外側面１３ｃに連接する下面１３ａとが水平で且つ面一部分となって、側面視において下側線Ｒ４をなし、該面一部分が把持部４０として機能する。【選択図】図４
2011043552.tif 000002
【特許請求の範囲】
【請求項１】
鍵盤部が配設される第１筐体に対して、少なくとも前記鍵盤部の後方の領域を覆う第２筐体を上側から組み付けて楽器筐体が構成される電子鍵盤楽器の外装構造であって、
側面視における前記第２筐体の外郭形状は、前側に凸の前側曲線部と、後側に凸の後側曲線部と、前記前側曲線部及び前記後側曲線部の上端同士を結ぶ上側線と、前記前側曲線部及び前記後側曲線部の下端同士を結ぶ下側線とからなる閉曲線をなし、
前記第１筐体の後部と前記第２筐体の後部との当接、及び前記第１筐体の前部と前記第２筐体の前部との当接によって、前記第１筐体と前記第２筐体との上下方向の相対的位置が規制されると共に、前記第２筐体の左右の側壁の内側面に前記第１筐体の左右の側壁の外側面が当接することで、前記第１筐体と前記第２筐体との左右方向の相対的位置が規制されるように構成され、
前記第１筐体と前記第２筐体との上下方向の相対的位置が規制された状態で、少なくとも、前記第２筐体の前記左右の側壁の各外側面に連接する下面と、前記第１筐体の前記左右の側壁の各外側面に連接する下面とが、それぞれ面一部分となって側面視において前記下側線をなし、前記面一部分が把持部として機能するように構成されたことを特徴とする電子鍵盤楽器の外装構造。
【請求項２】
前記楽器筐体を載置面に載置したとき、前記載置面から前記面一部分までの間に指が入る間隙が形成されることを特徴とする請求項１記載の電子鍵盤楽器の外装構造。
【請求項３】
前記第２筐体の前記左右の側壁の内側面にはそれぞれ、下方に開口する鉤状部が形成され、前記第２筐体の前記左右の側壁と前記各鉤状部との間に前記第１筐体の前記左右の側壁が嵌合挟持されて、前記第２筐体の前記左右の側壁の各内側面が外方に押圧されるように構成されたことを特徴とする請求項１または２記載の電子鍵盤楽器の外装構造。
【発明の詳細な説明】
【技術分野】
【０００１】
本発明は、上下の筐体を組み付けて楽器筐体が構成される電子鍵盤楽器の外装構造に関する。
【背景技術】
【０００２】
従来、下記特許文献１〜３に示されるように、電子鍵盤楽器の外装構造において、上下の筐体を組み付けて楽器筐体が構成されるものが知られている。
【先行技術文献】
【特許文献】
【０００３】
【特許文献１】実開平７−８２９１号公報
【特許文献２】実開平３−８９４８５号公報
【特許文献３】特開平３−２０３７８８号公報
【発明の概要】
【発明が解決しようとする課題】
【０００４】
しかしながら、この種の外装構造では、上下の筐体が互いに縁部で嵌合されるため、嵌合部分が仕切部として外観に現れやすい。ここで、上側の筐体と下側の筐体の両方の左右の側面が一体となって楽器筐体全体の左右の側面となることが多く、左右の側面に仕切部が現れる場合は目立ちやすい。前側や後側では、鍵や端子等の配設物が見えるため、仕切部が目立たないが、左右の側面では仕切部が目立ちやすく、外観に悪影響を与えることがある。
【０００５】
そのため、側面に、上側の筐体と下側の筐体の双方を覆うような後付けの板状部材等を貼り付けて、仕切部を隠すと共に一体的な側面を形成し、デザイン性を高める等の工夫がなされる場合がある。しかし、そのために構成部品が増え、構成も複雑化するという欠点がある。
【０００６】
ところで、楽器筐体を把持するための把持部が特に設けられない場合は、把持する箇所によっては持ちづらく、不安全でもある。その一方、把持部を左右の側面に専用に設けた場合は、目立ちやすく、デザイン性に悪影響を与えることもある。
【０００７】
本発明は上記従来技術の問題を解決するためになされたものであり、その目的は、簡単な構成で良好な外観を確保しつつ、楽器筐体を安全に把持することができる電子鍵盤楽器の外装構造を提供することにある。
【課題を解決するための手段】
【０００８】
上記目的を達成するために本発明の請求項１の電子鍵盤楽器の外装構造は、鍵盤部（ＫＢ）が配設される第１筐体（１０）に対して、少なくとも前記鍵盤部の後方の領域を覆う第２筐体（２０）を上側から組み付けて楽器筐体が構成される電子鍵盤楽器の外装構造であって、側面視における前記第２筐体の外郭形状は、前側に凸の前側曲線部（Ｒ１）と、後側に凸の後側曲線部（Ｒ２）と、前記前側曲線部及び前記後側曲線部の上端同士を結ぶ上側線（Ｒ３）と、前記前側曲線部及び前記後側曲線部の下端同士を結ぶ下側線（Ｒ４）とからなる閉曲線をなし、前記第１筐体の後部（１０ｂ）と前記第２筐体の後部（２０ｂ）との当接、及び前記第１筐体の前部（１０ａ）と前記第２筐体の前部（２０ａ）との当接によって、前記第１筐体と前記第２筐体との上下方向の相対的位置が規制されると共に、前記第２筐体の左右の側壁（２３）の内側面（２３ｃ）に前記第１筐体の左右の側壁（１３）の外側面（１３ｃ）が当接することで、前記第１筐体と前記第２筐体との左右方向の相対的位置が規制されるように構成され、前記第１筐体と前記第２筐体との上下方向の相対的位置が規制された状態で、少なくとも、前記第２筐体の前記左右の側壁の各外側面（２３ｄ）に連接する下面（２３ａ）と、前記第１筐体の前記左右の側壁の各外側面（１３ｃ）に連接する下面（１３ａ）とが、それぞれ面一部分となって側面視において前記下側線をなし、前記面一部分が把持部（４０）として機能するように構成されたことを特徴とする。
【０００９】
好ましくは、前記楽器筐体を載置面（４１）に載置したとき、前記載置面から前記面一部分までの間に指が入る間隙（Ｈ）が形成される（請求項２）。
【００１０】
好ましくは、前記第２筐体の前記左右の側壁の内側面（２３ｃ）にはそれぞれ、下方に開口する鉤状部（２７）が形成され、前記第２筐体の前記左右の側壁と前記各鉤状部との間（２７ａ）に前記第１筐体の前記左右の側壁が嵌合挟持されて、前記第２筐体の前記左右の側壁の各内側面が外方に押圧されるように構成される（請求項３）。
【００１１】
なお、上記括弧内の符号は例示である。
【発明の効果】
【００１２】
本発明の請求項１によれば、簡単な構成で良好な外観を確保しつつ、楽器筐体を安全に把持することができる。
【００１３】
請求項２によれば、面一部分に指を掛けやすく、把持しやすい。
【００１４】
請求項３によれば、面一部分において、第１、第２筐体の各側壁の外側面に連接する下面同士が隙間なく繋がるので、一層安全に面一部分を把持しやすくなる。
【図面の簡単な説明】
【００１５】
【図１】本発明の一実施の形態に係る外装構造が適用される電子鍵盤楽器の上ケース、下ケースの斜視図である。
【図２】下ケースの上面図（図（ａ））、下ケースの右側面図（図（ｂ））である。
【図３】上ケースの裏面図（図（ａ））、図３（ａ）のＢ−Ｂ線に沿う断面図（図（ｂ））である。
【図４】本電子鍵盤楽器の筐体の右側面図（図（ａ））、図２（ｂ）のＡ−Ａ線に沿う下ケースの右側部の部分断面図（図（ｂ））である。
【図５】上ケース乃至板部材の側面視の外郭形状の変形例を示す模式図である。
【発明を実施するための形態】
【００１６】
以下、本発明の実施の形態を図面を参照して説明する。
【００１７】
図１（ａ）、（ｂ）は、本発明の一実施の形態に係る外装構造が適用される電子鍵盤楽器の上ケース、下ケースの斜視図である。上ケース２０については、斜め裏側からみた図で、下ケース１０については斜め上側から見た図となっている。この電子鍵盤楽器の外装構造においては、いずれも樹脂で一体に形成される下ケース１０に上ケース２０が上側から組み付けられて楽器筐体が構成される。以降、本楽器全体、下ケース１０及び上ケース２０については、完成品における奏者側を前側とし、左右方向については完成品の使用状態において奏者からみた方向で呼称する。
【００１８】
図２（ａ）は、下ケース１０の上面図、図２（ｂ）は下ケース１０の右側面図である。図１（ｂ）、図２（ａ）、（ｂ）に示すように、下ケース１０の前後方向中央よりやや後方に支承部１７が設けられる。この支承部１７に、鍵盤部ＫＢ（図２（ａ）参照）の共通基端部が支持されて鍵盤部ＫＢが下ケース１０に配設される。下ケース１０の前部１０ａには、左右方向に沿った突条状の延設片１１が上方に突設形成されている。下ケース１０の後部１０ｂには、左右方向に沿った突条状の延設片１２が上方に突設形成されている。
【００１９】
前部１０ａにおいて、延設片１１に連接して取付部１４が複数形成され、左右端部においては取付部１５が形成されている。取付部１４、１５には、それぞれ取付穴１４ａ、１５ａが貫通して設けられている（図２（ａ）参照）。延設片１１に連接して補強リブ１９が形成されている。また、後部１０ｂにおいて取付部１６が複数形成され、取付部１６には、取付穴１６ａが貫通して設けられている（図２（ａ）参照）。
【００２０】
下ケース１０の左右の側部には、前後方向に沿った突条状の嵌合リブ１３（１３Ｌ、１３Ｒ）が上方に一体に突設形成されている。各嵌合リブ１３の外側面１３ｃが、下ケース１０の最も左及び右に位置する側面でもある。下ケース１０の底面１０ｃには、脚部１８が設けられる。下ケース１０の上面には、脚部１８に対応する凹部１８ａが形成される（図２参照）。
【００２１】
図３（ａ）は、上ケース２０の裏面図、図３（ｂ）は図３（ａ）のＢ−Ｂ線に沿う断面図である。図１（ａ）、図３（ａ）、（ｂ）に示すように、上ケース２０の前部２０ａには、左右方向に沿った突条状の延設片２１が下方に突設形成されている。上ケース２０の後部２０ｂには、左右方向に沿った突条状の延設片２２が下方に突設形成されている。
【００２２】
前部２０ａにおいて、延設片２１の直ぐ後方には、取付部１４に対応して取付部２４が複数形成され、左右端部においては取付部１５に対応して取付部２５が形成されている。また、延設片２１に連接して、延設片２１を補強する複数の前側リブ２８が形成されている。延設片２１と前側リブ２８とで、側面視で下方に開口する凹部２８ａが形成される（図３（ｂ）参照）。
【００２３】
また、後部２０ｂにおいて、延設片２２の直ぐ前方には、取付部１６に対応して取付部２６が複数形成されている。延設片２２に連接して、補強用の前側リブ２９が形成されている。延設片２２と前側リブ２９とで、側面視で下方に開口する凹部２９ａが形成される（図３（ｂ）参照）。
【００２４】
上ケース２０の左右の側部には、側壁部２３（２３Ｌ、２３Ｒ）が形成される。各側壁部２３の外側面２３ｄには、２本の位置決めピン３１が突設されると共に、３つの締結用穴３２が形成されている。各側壁部２３（２３Ｌ、２３Ｒ）の外側面２３ｄには、上ケース２０とは別体の板部材３０（３０Ｌ、３０Ｒ）が取り付けられる。板部材３０は、位置決めピン３１によって位置が規制され、締結用穴３２を介して内側からネジで螺合されて、側壁部２３に締結される。上ケース２０は、下ケース１０に組み付けられたとき、鍵盤部ＫＢの後部及び後方の領域を覆う。ピン３１と締結用穴３２との雄雌の関係は逆であってもよい。
【００２５】
図４（ａ）は、本電子鍵盤楽器の筐体の右側面図、図４（ｂ）は、図２（ｂ）のＡ−Ａ線に沿う下ケース１０の右側部の部分断面図である。上ケース２０の各側壁部２３の内側面２３ｃには、複数（例えば、各４つ）の鉤状リブ２７が一体に形成されている（図３（ａ）、（ｂ）、図４（ｂ）参照）。
【００２６】
下ケース１０の嵌合リブ１３、上ケース２０の側壁部２３及び鉤状リブ２７は、いずれも左右対称であるので、これらの構成については、主に右側のものを代表して説明する。図４（ｂ）に示すように、上ケース２０の各側壁部２３の内側面２３ｃと鉤状リブ２７とによって、正面視において下方に開口する凹部２７ａが形成される。鉤状リブ２７の垂下した部分の、内側面２３ｃに対向した面は、テーパ面２７ｂとなっている。鉤状リブ２７は、平面視においてＬ字状であるが、凹部２７ａが形成され、内側面２３ｃに対向するテーパ面２７ｂを有する構成であれば、その形状は問わない。
【００２７】
下ケース１０の嵌合リブ１３の上部の内側面は、テーパ面２７ｂに対向するテーパ面１３ｄとなっている。下ケース１０において、嵌合リブ１３の下部１３ｂから底面１０ｃにかけて、内側に奥まって、段差部１０ｄ、１０ｅの２段階の段差が形成されている。
【００２８】
下ケース１０と上ケース２０とは次のようにして組み付けられる。まず、下ケース１０の取付部１４、１５、１６（図２（ａ））に対して、上ケース２０の取付部２４、２５、２６（図３（ａ））を下ケース１０の表側から当接させる。実際には、上ケース２０を裏返して上方から下ケース１０を下降させるのが作業しやすい。その際、下ケース１０の延設片１１、１２及び嵌合リブ１３（図２（ｂ）参照）が、上ケース２０の凹部２８ａ、２９ａ（図３（ｂ）参照）及び凹部２７ａ（図４（ｂ）参照）に係合するように両ケースを合わせていく。
【００２９】
そして、下ケース１０の裏側から、取付部２４、２５、２６の各取付穴１４ａ、１５ａ、１６ａを介して、ネジを取付部２４、２５、２６に設けられたネジ穴に螺合することで、両ケースが締結固定される。その際、延設片１１、１２と凹部２８ａ、２９ａとの係合によって、下ケース１０に対する上ケース２０の前後方向の位置が規制される。また、取付部１４、１５、１６と取付部２４、２５、２６との当接によって、下ケース１０に対する上ケース２０の上下方向の位置が規制される。
【００３０】
さらに、嵌合リブ１３と凹部２７ａとの係合によって、下ケース１０に対する上ケース２０の左右方向の位置が規制される。すなわち、取付部１４、１５、１６と取付部２４、２５、２６とを螺着締結する過程において、図４（ｂ）に示すように、鉤状リブ２７のテーパ面２７ｂと嵌合リブ１３のテーパ面１３ｄとが徐々に強く当接し、締結完了時には、嵌合リブ１３の外側面１３ｃが上ケース２０の側壁部２３の内側面２３ｃを外方（右方、左方）に押圧した状態となる。
【００３１】
その後、板部材３０を側壁部２３に取り付ける。板部材３０には、位置決めピン３１に対応する穴と締結用穴３２に対応するネジ穴が形成されており、位置決めピン３１によって位置決めした後に締結用穴３２を介して内側からネジで螺着締結される。
【００３２】
ここで、嵌合リブ１３の外側面１３ｃは、金型による成形時の抜け勾配が形成されているため、外側面１３ｃのうち下部１３ｂの部分が内側面２３ｃを押圧することになる。これにより、凹部２７ａによって嵌合リブ１３が嵌合挟持された形となる。
【００３３】
また、取付部１４、１５、１６と取付部２４、２５、２６との締結により下ケース１０と上ケース２０との上下方向の相対的位置関係が規制された状態では、上ケース２０の側壁部２３の下面２３ａと嵌合リブ１３の下面１３ａとが水平で且つ面一となる。この面一部分が、完成品としての鍵盤楽器の把持部４０として機能する。また、後付けの板部材３０の下面もこれらと面一である。本実施の形態では、板部材３０の下面も把持部４０の一部とみなすことができる。把持部４０の幅は、鍵盤楽器を把持するために十分な幅とする。この幅は、例えば、指の先端から第１関節までの距離（１０〜４０ｍｍ程度）とする。
【００３４】
図３（ｂ）、図４（ａ）に示すように、側面視において、上ケース２０と板部材３０の側面形状は同一である。図４（ｂ）を参照して上ケース２０の外郭形状を説明する。外郭形状は、前側に凸の前側曲線部Ｒ１と、後側に凸の後側曲線部Ｒ２と、前側曲線部Ｒ１と後側曲線部Ｒ２との上端同士を結ぶ上側線Ｒ３と、前側曲線部Ｒ１と後側曲線部Ｒ２との下端同士を結ぶ下側線Ｒ４とからなる閉曲線をなす。
【００３５】
本実施の形態では、前側曲線部Ｒ１及び後側曲線部Ｒ２は半円乃至円弧状であり、上側線Ｒ３及び下側線Ｒ４は直線であって互いの間隔は前方に向かって狭くなっている。前側曲線部Ｒ１、後側曲線部Ｒ２の各上端や各下端の位置は必ずしも厳密に定義できないが、一様な曲線形状が維持されている領域を前側曲線部Ｒ１、後側曲線部Ｒ２とし、それの端部を上端、下端と考える。
【００３６】
ここで、延設片１１、１２の各下面は下ケース１０の嵌合リブ１３の下面１３ａに連接しており、下面１３ａ及び延設片１１、１２の各下面が、側面視における上ケース２０の外郭形状の下半部と一致する。従って、段差部１０ｄ、１０ｅを除けば、側面視において下ケース１０は上ケース２０に隠れる。
【００３７】
図４（ａ）に示すように、楽器筐体を床面４１に載置したとき、床面４１から下側線Ｒ４まで、すなわち、床面４１と面一部分である把持部４０（上ケース２０の側壁部２３の下面２３ａ及び下ケース１０の嵌合リブ１３の下面１３ａ）との間に間隙Ｈが形成される。間隔Ｈは、最も狭い部分（前端部）においても筐体を把持する際に人の指が入る程度とされ、面一部分に指を掛けやすくなっている。
【００３８】
また、下ケース１０は、段差部１０ｄ、１０ｅが内側に奥まっていて、且つ、側面視において下ケース１０は段差部１０ｄ、１０ｅ以外には見える部分がない。従って、側方からみたとき、上ケース２０の外郭形状自体が楽器筐体の側面の外郭形状であるとの印象を与える。従って、側方からみたデザイン上、下ケース１０はほとんど寄与せず、ほぼ上ケース２０の外郭形状だけでデザインを作り出すことができる。
【００３９】
本実施の形態によれば、上ケース２０の側面視の外郭形状がなす閉曲線が楽器筐体の側面として認識されるので、従来のように、下ケースと上ケースの双方を覆うような筐体全体としての側壁部を別個に取り付けなくても良く、上ケース２０だけで側部としてのデザインが成立する。従って、簡単な構成で外観を向上させることができる。しかも、上ケース２０の側壁部２３の下面２３ａと下ケース１０の嵌合リブ１３の下面１３ａとが面一部分となって側面視において下側線Ｒ４となる（図４）。そのため、前側と後側が曲線部というデザインでありながら、側面に成形によって生じる合わせ面を現さずに上ケース２０を一体成形可能であるので、デザインの自由度が高い。また、把持部４０が目立たず、筐体の合わせ面も側方から見えないので、外観が向上する。
【００４０】
また、把持部４０が面一なので指を掛けやすく、楽器筐体を安全に把持することができる。特に、床面４１と把持部４０とに指が入る間隙Ｈが形成されるので、面一部分に指を掛けやすく、把持しやすい。しかも、上ケース２０の前部、後部が曲線形状であるので、手が当たっても怪我をしにくく安全である。
【００４１】
また、下ケース１０と上ケース２０との組み付け状態においては、凹部２７ａによって下ケース１０の嵌合リブ１３が嵌合挟持され、嵌合リブ１３の外側面１３ｃが上ケース２０の側壁部２３の内側面２３ｃを外方に押圧する（図４（ｂ））。これにより、側壁部２３の外側面１３ｃに連接する下面２３ａと嵌合リブ１３の外側面２３ｄに連接する下面１３ａとが隙間なく面一に繋がるので、一層安全に把持部４０を把持しやすくなる。しかも、凹部２７ａによって嵌合リブ１３が嵌合挟持されたことで、振動によるノイズ（びりつき）抑止にも効果がある。
【００４２】
なお、延設片１１、１２、２１、２２の先端、及び、嵌合リブ１３の上端、側壁部２３の下端を、それぞれ弾性ラバーでＵ字状に取り巻くように覆ってから、ケース同士を上下方向に嵌合してもよい。これにより、びりつき抑止効果が高まる。
【００４３】
なお、本実施の形態では、上ケース２０の側壁部２３に板部材３０を取り付けたが、板部材３０は必須ではなく廃止してもよい。板部材３０を廃止する場合は、位置決めピン３１や締結用穴３２も廃止し、上ケース２０の側壁部２３の外側面２３ｄをそのまま楽器筐体の側面とすることができる。
【００４４】
なお、上ケース２０の側壁部２３の下面２３ａと下ケース１０の嵌合リブ１３の下面１３ａとは、把持可能な程度に面一であれば、水平でなくてもよく、傾斜していてもよい。
【００４５】
ところで、上ケース２０乃至板部材３０の側面視の外郭形状については、前後の曲線を有する閉曲線であればよく、例示した形状に限定されない。なお、ここでいう閉曲線は、不分離の閉じた線でなればよく、閉曲線の一部の曲率半径が小さくなっている形状（例えば、曲率半径５ｍｍ程度）も含まれる。
【００４６】
例えば、図５（ａ）に示すように、上側線Ｒ３と下側線Ｒ４とが平行であってもよい。あるいは、図５（ｂ）に示すように、上側線Ｒ３及び下側線Ｒ４が直線でなく曲線であって、全体が卵形、繭型、乃至楕円型であってもよい。あるいは、図５（ｃ）に示すように、上側線Ｒ３及び下側線Ｒ４が途中でくびれていて、全体がヘチマ型乃至ヒョウタン型であってもよい。前側曲線部Ｒ１と後側曲線部Ｒ２とは同じ曲率でなくてもよく、半円または略弧状等、前側、後側に凸の曲線状であればよい。
【符号の説明】
【００４７】
１０  下ケース（第１筐体）、  １０ａ  前部、  １０ｂ  後部、  １３  嵌合リブ（側壁）、  １３ａ  下面、  １３ｃ  外側面、  ２０  上ケース（第２筐体）、  ２０ａ  前部、  ２０ｂ  後部、  ２３  側壁部（側壁）、  ２３ａ  下面、  ２３ｃ  内側面、  ２３ｄ  外側面、  ２７  鉤状リブ（鉤状部）、  ２７ａ  凹部、  ４０  把持部、  ４１  床面（載置面）、  ＫＢ  鍵盤部、  Ｒ１  前側曲線部、  Ｒ２  後側曲線部、  Ｒ３  上側線、  Ｒ４  下側線、  Ｈ  間隙
【図１】
2011043552.tif 000003
【図２】
2011043552.tif 000004
【図３】
2011043552.tif 000005
【図４】
2011043552.tif 000006
【図５】
2011043552.tif 000007